(57)【要約】【目的】グリップの緩み防止用のパッドの位置を自由に選択できるようにしたゴルフ手袋を提供する。【構成】手袋本体（２）と、この手袋本体の手のひら部表面（３）に設けたグリップの緩み防止用の軟質パッド（４）とからなるスポーツ用手袋である。手のひら部表面及びバッド底面はそれぞれ面ファスナ（３１，４１）を有し、相互に付着及び離脱が可能である。手袋本体の手のひら部表面に軟質パッドを２個以上設けることもできる。パッドの形状は、長尺立方体形や蒲鉾形が適当である。パッドの大きさは、手袋の大きさにより自ずから決定されるが、幅５〜２０ｍｍ、長さ２０〜１００ｍｍ、厚み２〜１０ｍｍ程度が好ましい。【選択図】  図１
2004181145.tif 000002
【特許請求の範囲】
【請求項１】
手袋本体（２；２Ａ；２Ｂ）と、この手袋本体の手のひら部表面（３；３Ａ；３Ｂ）に設けたグリップの緩み防止用の軟質パッド（４；４Ａ１，４Ａ２；４Ｂ１，４Ｂ２）とからなるスポーツ用手袋であって、
手のひら部表面及びバッド底面はそれぞれ面ファスナ（３１；３１Ａ，３１Ｂ；４１；４１Ａ１，４１Ａ２；４１Ｂ）を有し、相互に付着及び離脱が可能であることを特徴とするスポーツ用手袋。
【請求項２】
手袋本体の手のひら部表面（３Ａ，３Ｂ）に軟質パッド（４Ａ１，４Ａ２；４Ｂ１，４Ｂ２）が２個以上設けられた請求項１記載のスポーツ用手袋。
【発明の詳細な説明】
【０００１】
【発明の属する技術分野】
本発明はスポーツ用手袋に関する。特に、ゴルフのクラブ、野球のバット、アイスホッケーのシャフトのような棒状のものを振り回す競技において、インパクトの際、グリップがゆるむのを防止するために着用される手袋に関する。以下の説明では、ゴルフ手袋を例に取る。
【０００２】
【従来の技術】
ゴルフにおけるグリップは非常に重要である。ミスショットは、インパクトの際のグリップのゆるみが原因の大部分を占めているといわれる。すなわち、右利きの者にとって多くの場合、スイングのとき、特にバックスイングのトップのときに左手のグリップがゆるんでしまう。そのためにクラブコントロールがむずかしくなりスライスやフックの原因の１つとなるのである。これをなくすには、バックスイングのトップのときに、左手のゆるみを解消する必要がある。左利きの者にとってはこの逆になる。
【０００３】
従来、この目的のために手袋の手のひら部分にパッドを固定させたものが知られている（下記特許文献１参照）。これによると、「中指と手のひらとの関節の位置付近から小指につながる手のひらと手首との関節の位置付近に」パッドを設けることが提案されている。
【０００４】
【特許文献１】登録実用新案第３０４２３５４号公報
【０００５】
【発明が解決しようとする課題】
上記従来技術によれば、パッドは予め決められた位置に固定される。しかし、何事にも個人差があり、市販の製品において予め決められた位置のパッドではうまくいかない人たちもいる。そのような人たちは自分で自由にパッドの位置を選択したいと思うに違いない。
【０００６】
本発明はそのような要望に応えるものであり、グリップの緩み防止用のパッドの位置を自由に選択できるようにしたゴルフ手袋を提供することを目的とする。
【０００７】
【課題を解決するための手段】
本発明のスポーツ用手袋は、手袋本体と、この手袋本体の手のひら部表面に設けたグリップの緩み防止用の軟質パッドとからなるものであって、手のひら部表面及びバッド底面はそれぞれ面ファスナを有し、相互に付着及び離脱が可能であることを特徴とする。
【０００８】
【発明の実施の態様】
手袋本体は、ゴルフ用、野球用、アイスホッケー用など構造の異なるものが公知である。本発明では、目的に反しない限りどのようなものでも使用可能である。また、それぞれ右手用及び左手用があり、双方ともに使用可能である。
【０００９】
この手袋本体の手のひら部表面に設ける軟質パッドは、軟質樹脂の表面を革や布で覆ったものが一般的である。軟質樹脂としては、スチレン系、オレフィン系、ポリエステル系の熱可塑性エラストマーなどが使用可能である。
【００１０】
パッドの形状は、長尺立方体形や蒲鉾形が適当である。パッドの大きさは、手袋の大きさにより自ずから決定されるが、幅５〜２０ｍｍ、長さ２０〜１００ｍｍ、厚み２〜１０ｍｍ程度が好ましい。
【００１１】
パッドは、通常は１個でよいが、場合によれば２個又はそれ以上設けることができる。その場合、大きさに大小を付けたり、形状を変えたりすることもできる。
【００１２】
手のひら部表面及びバッド底面はそれぞれ面ファスナを設ける。面ファスナは、例えば次のようなものを使用することができる。
（１）ポリエステル繊維、ポリアミド繊維、ポリオレフイン系繊維、塩化ビニル系繊維などから選ばれた合成繊維を編織して得た編織製基材の一面に鈎状、きのこ状、ループ状の係合素子群を有する織製または編製面ファスナ。
（２）ポリエステル、ポリアミド、ポリオレフイン、塩化ビニル系重合体、ポリウレタンなどの熱可塑性樹脂、あるいは熱硬化性樹脂を成形して得たシート状基材の一面に鈎状、きのこ状、膨頭状、角状、棒状などの係合素子群を有する成形面ファスナ。
【００１３】
手のひら部表面及びバッド底面のいずれかに雌型ファスナを、他方に雄型ファスナを設けるのが普通であるが、両方に雌雄混在型ファスナを設けることもできる。
【００１４】
【実施例】
以下、添付の図面に基づき、本発明の実施例を説明する。
【００１５】
図１は、本発明の第１実施例に係るゴルフ手袋１であり、右利きの人用である。手袋本体２と、この手袋本体の手のひら部表面３に設けたグリップの緩み防止用の軟質パッド４とからなる。この図から明らかなように、手のひら部３の表面及びバッド４の底面はそれぞれ面ファスナ３１，４１を有し、相互に付着及び離脱が可能である。
【００１６】
図２に示すように、パッド４は、軟質ウレタン樹脂４２を堅牢な表面布４３で覆ってなり、この布と底面の面ファスナ４１とは縁取り部分４４において糸４５で縫着されている。このパッド４の大きさは、幅１０ｍｍ、長さ８０ｍｍ、厚み５ｍｍであり、通常、中指と手のひらとの関節の位置付近から小指につながる手のひらと手首との関節の位置付近に置かれることになる。使用時には、図３に示すように、ゴルフクラブのグリップ５を手袋のパッド４に沿わせるようにして使用する。いったんパッドの位置を決めた後でも、違和感があれば、図１に示すように、パッド４を剥がして、適当な位置で再固定する。
【００１７】
図４は、本発明の第２実施例に係るゴルフ手袋１Ａであり、右利きの人用である。第１実施例と異なるのは長さの異なるパッドが２つ使用されていることである。大きい第１パッド４Ａ１は第１実施例と同じであり、小さい第２パッド４Ａ２は通常第１パッドに平行に設けられる。第２パッド４Ａ２は大きさ以外の点では第１パッド４Ａ１と同じである。その他の点については、第１実施例の符号に「Ａ」をつけて詳細な説明を省略する。
【００１８】
図５は、本発明の第３実施例に係るゴルフ手袋１Ｂであり、右利きの人用である。第２実施例と同様に長さの異なるパッドが２つ使用されている。大きい第１パッド４Ｂ１は第１、第２実施例と同じであり、小さい第２パッド４Ｂ２は通常第１パッドに平行に設けられる。第２実施例と異なるのは、第１，第２パッドは途中が連結部分４６で繋がれていることである。第２パッドは大きさ以外の点では第１パッドと同じである。その他の点については、第１実施例の符号に「Ａ」をつけて詳細な説明を省略する。
【００１９】
【発明の効果】
本発明によれば、従来技術と異なり、パッドは予め決められた位置に固定されず、着用者は自分で自由にパッドの位置を選択することができる。このようにして、パッドの位置をきめ細かく設定することにより、各自にあったやり方でグリップの緩みを防止することができる。
【図面の簡単な説明】
【図１】本発明の第１実施例に係るゴルフ手袋の正面図である。
【図２】図１の２−２線断面図である。
【図３】本発明の第１実施例に係るゴルフ手袋の使用状態を示す斜視図である。
【図４】本発明の第２実施例に係るゴルフ手袋の（ａ）正面図及び（ｂ）４ｂ−４ｂ断面図である。
【図５】本発明の第３実施例に係るゴルフ手袋の（ａ）正面図及び（ｂ）５ｂ−５ｂ断面図である。
【符号の説明】
１，１Ａ，１Ｂ        ゴルフ手袋
２，２Ａ，２Ｂ        手袋本体
３，３Ａ，３Ｂ        手のひら部表面
３１，３１Ａ，３１Ｂ  面ファスナ
４，４Ａ，４Ｂ        パッド
４Ａ１      第１パッド
４Ａ２      第２パッド
４Ｂ１    第１パッド
４Ｂ２      第２パッド
４１          面ファスナ
４２          軟質樹脂
４３          表面布
４６          連結部分
５              グリップ
【図１】
2004181145.tif 000003
【図２】
2004181145.tif 000004
【図３】
2004181145.tif 000005
【図４】
2004181145.tif 000006
【図５】
2004181145.tif 000007